(57)【要約】【課題】光源からの距離による輝度のばらつきを抑えつつ、導光体の同一箇所を外部の色々な角度から見たときの輝度のばらつきを抑えることができる車両用灯具を提供する。【解決手段】ランプ１０は、ＬＥＤ１１および導光体１４を備える。導光体１４の背面２２は、長手方向に並ぶように形成されている複数の起伏面２３と、起伏面２３に隣接して形成されている複数の平坦面２４、２５とを含む。起伏面２３は凹面からなる。背面２２のうち起伏面２３の反光源向き面２７だけに、微細な凹凸からなるシボが形成されている。したがって、起伏面２３に反射されて正面２１から外部へ出る光の指向性を比較的低くすることができる。また、平坦面２４、２５にはシボが形成されていないので、光を平坦面２４、２５の内部反射により導光体１４の一端部から他端部まで行き渡らせることができる。【選択図】図３
2017033896.tif 000002
【特許請求の範囲】
【請求項１】
長尺状の導光体（１４）と、前記導光体の一端面（１５）に対向するように設けられている光源（１１）と、を備える車両用灯具であって、
前記導光体は、当該導光体の厚み方向の一方に位置する正面（２１）と、前記厚み方向の他方に位置する背面（２２、３１、４１、５３）とを有し、
前記背面は、凹面または凸面からなり且つ前記導光体の長手方向に並ぶように形成されている複数の起伏面（２３、３２、５１）と、前記起伏面に隣接して形成されている複数の平坦面（２４、２５、４２、５２）と、を含み、
前記背面のうち前記起伏面の全部または一部だけに、微細な凹凸からなるシボが形成されていることを特徴とする車両用灯具。
【請求項２】
前記長手方向と前記厚み方向とに直交する方向を短手方向とすると、
前記起伏面（２３、３２）は、前記背面のうち前記短手方向の中央部に形成され、
前記平坦面は、各前記起伏面の間に形成されている第１平坦面（２４、４２）、および、前記短手方向における前記中央部の両側に形成されている第２平坦面（２５）を含むことを特徴とする請求項１に記載の車両用灯具。
【請求項３】
前記平坦面（５２）は、各前記起伏面の間に形成されていることを特徴とする請求項１に記載の車両用灯具。
【請求項４】
前記長手方向と前記厚み方向とに直交する方向を短手方向とすると、
前記起伏面は、前記背面のうち前記短手方向の中央部に形成され、
前記平坦面は、前記短手方向における前記中央部の両側に形成されていることを特徴とする請求項１に記載の車両用灯具。
【請求項５】
前記起伏面は、前記光源側を向く光源向き面（２６、５４）と、前記光源とは反対側を向く反光源向き面（２７、５５）とを含み、
前記シボは前記反光源向き面だけに形成されていることを特徴とする請求項１〜４のいずれか一項に記載の車両用灯具。
【発明の詳細な説明】
【技術分野】
【０００１】
本発明は、車両用灯具に関する。
【背景技術】
【０００２】
導光体の一端面に対向する光源を設け、光源の発する光を導光体内で内部反射させて導光体全体が光るように構成された車両用灯具が知られている。例えば、特許文献１では、導光体の背面に複数のカット面が設けられている。カット面は、導光体の正面とは角度が異なるように形成された平面である。各カット面は、導光体の長手方向に沿って並ぶように形成されている。
【先行技術文献】
【特許文献】
【０００３】
【特許文献１】特開２０１５−２２９７２号公報
【発明の概要】
【発明が解決しようとする課題】
【０００４】
上記灯具では、導光体の厚み方向におけるカット面の高さを調整したり、正面に対するカット面の角度を調整したりすることによって、導光体の長手方向における輝度をある程度均一にすることが考えられる。しかし、カット面が平面であるので、カット面に反射されて正面から外部へ出る光は指向性が高くなってしまう。そのため、導光体の同一箇所を外部の色々な角度から見たときの輝度のばらつきが大きいという問題がある。導光体の形状が複雑な場合、上記輝度のばらつきが一層大きくなる。
【０００５】
これに対して、背面の全体にシボを形成し、正面から外部へ出る光の指向性を低くする対策が考えられる。しかし、この対策を採ると、光源付近で外部へ出る光が多くなり過ぎるので、導光体の一端部が比較的明るくなる一方で導光体の他端部が比較的暗くなる。そのため、導光体の長手方向における輝度が不均一になるという欠点がある。
【０００６】
本発明は、上述の点に鑑みてなされたものであり、その目的は、光源からの距離による輝度のばらつきを抑えつつ、導光体の同一箇所を外部の色々な角度から見たときの輝度のばらつきを抑えることができる車両用灯具を提供することである。
【課題を解決するための手段】
【０００７】
本発明は、長尺状の導光体と、導光体の一端面に対向するように設けられている光源とを備える車両用灯具である。導光体は、当該導光体の厚み方向の一方に位置する正面と、厚み方向の他方に位置する背面とを有する。
背面は、凹面または凸面からなり且つ導光体の長手方向に並ぶように形成されている複数の起伏面と、起伏面に隣接して形成されている複数の平坦面とを含む。そして、背面のうち起伏面の全部または一部だけに、微細な凹凸からなるシボが形成されている。
【０００８】
したがって、起伏面の全部または一部にシボが形成されているので、起伏面に反射されて正面から外部へ出る光の指向性を比較的低くすることができる。また、平坦面にはシボが形成されていないので、光を平坦面の内部反射により導光体の一端部から他端部まで行き渡らせることができる。そのため、光源からの距離による輝度のばらつきを抑えつつ、導光体の同一箇所を外部の色々な角度から見たときの輝度のばらつきを抑えることができる。
【図面の簡単な説明】
【０００９】
【図１】本発明の第１実施形態によるランプの背面図である。
【図２】図１のＩＩ部分の拡大図である。
【図３】図２のＩＩＩ−ＩＩＩ線断面図である。
【図４】ＬＥＤからの距離と輝度との関係について第１実施形態と比較形態とで比較して示す図である。
【図５】本発明の第２実施形態によるランプの一部の背面図である。
【図６】図５のＶＩ−ＶＩ線断面図である。
【図７】本発明の第３実施形態によるランプの一部の背面図である。
【図８】図７のＶＩＩＩ−ＶＩＩＩ線断面図である。
【図９】本発明の第４実施形態によるランプの一部の背面図である。
【図１０】図９のＸ−Ｘ線断面図である。
【発明を実施するための形態】
【００１０】
以下、本発明の複数の実施形態を図面に基づき説明する。実施形態同士で実質的に同一の構成には同一の符号を付して説明を省略する。
［第１実施形態］
本発明の第１実施形態による車両用灯具が適用されたイルミネーションランプを図１〜図３に示す。以下、イルミネーションランプのことを単に「ランプ」と記載する。
【００１１】
ランプ１０は、ＬＥＤ１１と、ＬＥＤ１１を実装している基板１２と、基板１２を収容しているケース１３と、ケース１３内からケース１３外へ延びている導光体１４とを備えている。ＬＥＤ１１は、ランプ１０の光源であり、導光体１４の一端面１５に対向するよう設けられている。導光体１４は、長尺状であり、一端部がケース１３に支持されている。ランプ１０は、図示しない車両の外装品などに固定される。
【００１２】
以下では、導光体１４の長手方向を単に「長手方向」と記載し、導光体１４の厚み方向を単に「厚み方向」と記載する。また、長手方向と厚み方向とに直交する方向を「短手方向」と記載する。
導光体１４は、厚み方向の一方に位置する正面２１と、正面２１とは反対側すなわち厚み方向の他方に位置する背面２２とを有する。正面２１は、ランプ１０が車両に設置されたとき、外部に露出する面である。背面２２には、凸面からなる複数の起伏面２３と、起伏面２３に隣接して形成されている複数の第１平坦面２４および一対の第２平坦面２５と、が含まれる。
【００１３】
各起伏面２３は、導光体１４の長手方向に並ぶように形成されている。本実施形態では、各起伏面２３は、長手方向において互いに間隔を空けて形成されている。また、起伏面２３は、短手方向の中央部に形成されている。また、起伏面２３は、ＬＥＤ１１側を向く光源向き面２６と、ＬＥＤ１１とは反対側を向く反光源向き面２７とを含む。「ＬＥＤ１１側を向く」とは、正面２１と比べてＬＥＤ１１側を向いているという意味である。同様に「ＬＥＤ１１とは反対側を向く」とは、正面２１と比べてＬＥＤ１１とは反対側を向いているという意味である。
【００１４】
第１平坦面２４は、各起伏面２３の間に形成されている。つまり、第１平坦面２４は、長手方向に並ぶ２つの起伏面２３のうち、一方の起伏面２３の反光源向き面２７と、他方の起伏面２３の光源向き面２６とにつながっている。本実施形態では、第１平坦面２４は、局部的に見れば、長手方向および厚み方向に平行な断面において正面２１とほぼ平行な面である。
【００１５】
第２平坦面２５は、短手方向における中央部の両側に形成されており、第１平坦面２４に連なる面である。第２平坦面２５は、導光体１４の一端面１５から他端面１６まで延びている。本実施形態では、第２平坦面２５は、局部的に見れば、長手方向および厚み方向に平行な断面において正面２１とほぼ平行な面である。
【００１６】
さらに、背面２２のうち起伏面２３の一部だけに、微細な凹凸からなるシボが形成されている。本実施形態では、上記「起伏面２３の一部」は反光源向き面２７である。つまり、シボは、反光源向き面２７だけに形成されており、光源向き面２６と第１平坦面２４と第２平坦面２５には形成されていない。
【００１７】
このように構成されたランプ１０を点灯するときは、ＬＥＤ１１を発光させる。ＬＥＤ１１が発する光は、入射面である一端面１５から導光体１４内に入射する。導光体１４内に入射した光は、導光体１４の正面２１、第１平坦面２４および第２平坦面２５等により内部反射されながら他端面１６に向けて導光される。導光体１４内を導光される光の一部は、シボが形成された反光源向き面２７により正面２１側に拡散反射され、当該正面２１で内部反射されずに外部へ出射される。このようにして導光体１４は、正面２１の全体から光が出射される状態となり、全体が光って見える。
【００１８】
（効果）
以上説明したように、第１実施形態では、背面２２には、長手方向に並ぶように形成されている複数の起伏面２３と、起伏面２３に隣接して形成されている複数の平坦面２４、２５とが含まれている。起伏面２３は凹面からなる。そして、背面２２のうち起伏面２３の一部だけに、微細な凹凸からなるシボが形成されている。
したがって、起伏面２３の一部にシボが形成されているので、起伏面２３に反射されて正面２１から外部へ出る光の指向性を比較的低くすることができる。また、平坦面２４、２５にはシボが形成されていないので、光を平坦面２４、２５の内部反射により導光体１４の一端部から他端部まで行き渡らせることができる。そのため、ＬＥＤ１１からの距離による輝度のばらつきを抑えつつ、導光体１４の同一箇所を外部の色々な角度から見たときの輝度のばらつきを抑えることができる。
【００１９】
図４は、ＬＥＤ１１からの距離と輝度との関係について第１実施形態と比較形態とで比較して示す図である。比較形態では、第１実施形態のように背面の一部にシボが形成されていない。一方、正面側から見たときの導光体の形状は、第１実施形態と比較形態とで同じである。図１に示すように、導光体１４は、長手方向の二箇所で曲がっている。図４に破線で示すように、比較形態においては、導光体のうち曲がっている箇所と、ＬＥＤからの距離が遠い方の端部とで輝度が比較的高くなり、その間で輝度が比較的低くなる。つまり、比較形態においては、ＬＥＤ１１からの距離による輝度のばらつきが大きくなる。これに対して、図４に実線で示すように、第１実施形態においては、ＬＥＤ１１からの距離による輝度のばらつきが抑えられている。
【００２０】
また、第１実施形態では、起伏面２３は、背面２２のうち短手方向の中央部に形成されている。背面２２のうち、各起伏面２３の間には第１平坦面２４が形成され、また、短手方向における中央部の両側には第２平坦面２５が形成されている。
したがって、第１平坦面２４および第２平坦面２５にはシボが形成されていないので、光を第１平坦面２４および第２平坦面２５の内部反射により導光体１４の一端部から他端部まで行き渡らせることができる。そのため、ＬＥＤ１１からの距離による輝度のばらつきを好適に抑えることができる。
【００２１】
また、第１実施形態では、起伏面２３は、ＬＥＤ１１側を向く光源向き面２６と、ＬＥＤ１１とは反対側を向く反光源向き面２７とを含む。そして、シボは反光源向き面２７だけに形成されている。
したがって、シボが多く形成されることに起因してＬＥＤ１１付近で外部へ出る光が多くなり過ぎることを、抑えることができる。そのため、ＬＥＤ１１からの距離による輝度のばらつきを好適に抑えることができる。
【００２２】
［第２実施形態］
本発明の第２実施形態では、図５および図６に示すように、背面３１のうち、起伏面３２の全部にシボが形成されている。つまり、光源向き面３３および反光源向き面３４にシボが形成されており、第１平坦面２４および第２平坦面２５にはシボが形成されていない。
このようにシボが形成される範囲を調整してもよい。それでも背面３１の一部だけにシボが形成されているので、ＬＥＤ１１からの距離による輝度のばらつきを抑えつつ、導光体１４の同一箇所を外部の色々な角度から見たときの輝度のばらつきを抑えることができる。
【００２３】
［第３実施形態］
本発明の第３実施形態では、図７および図８に示すように、背面４１のうち、短手方向の中央部だけにシボが形成されている。つまり、起伏面３２および第１平坦面４２にシボが形成されており、第２平坦面２５にはシボが形成されていない。
このようにシボが形成される範囲を調整してもよい。それでも背面４１の一部だけにシボが形成されているので、ＬＥＤ１１からの距離による輝度のばらつきを抑えつつ、導光体１４の同一箇所を外部の色々な角度から見たときの輝度のばらつきを抑えることができる。
【００２４】
［第４実施形態］
本発明の第４実施形態では、図９および図１０に示すように、起伏面５１および平坦面５２は、背面５３のうち短手方向の一端から他端まで延びるように形成されている。平坦面５２は、第１実施形態における第１平坦面に対応する。第４実施形態では、第１実施形態における第２平坦面は形成されない。シボは、反光源向き面５５に形成され、光源向き面５４および平坦面５２には形成されていない。
このように第２平坦面が形成されなくてもよい。それでも背面５３の一部だけにシボが形成されているので、ＬＥＤ１１からの距離による輝度のばらつきを抑えつつ、導光体１４の同一箇所を外部の色々な角度から見たときの輝度のばらつきを抑えることができる。
【００２５】
［他の実施形態］
本発明の他の実施形態では、導光体は、直線状であってもよいし、全体が曲線状であってもよいし、１箇所または３箇所以上が曲がっていてもよい。つまり、導光体の形状は、上述の実施形態のものに限らない。
本発明の他の実施形態では、正面は、平面であってもよいし、曲面であってもよいし、平面と曲面との組み合わせであってもよい。
本発明の他の実施形態では、起伏面は凹面であってもよい。また、起伏面は、平面の組み合わせに限らず、曲面を含んでいてもよい。さらに言えば、シボが形成されている面は曲面であってもよい。
本発明の他の実施形態では、起伏面は、導光体の長手方向において互いに間隔を空けずに形成されてもよい。この場合、平坦面は、各起伏面の間に形成されず、起伏面に対して短手方向の両側に形成される。
本発明の他の実施形態では、厚み方向における起伏面の高さ、または、正面に対する反光源向き面の角度を、光源からの距離に応じて変えてもよい。例えば、光源からの距離が遠いほど起伏面の高さを高くしてもよい。
【００２６】
本発明の他の実施形態では、ＬＥＤは、基板以外の支持部材に固定されてもよい。
本発明の他の実施形態では、ＬＥＤは複数設けられてもよい。
本発明の他の実施形態では、導光体の一端面に対向するＬＥＤに加えて、導光体の他端面に対向するＬＥＤが設けられてもよい。要するに、光源としてのＬＥＤは、少なくとも導光体の一端面に対向するように１つ設けられればよく、導光体の他端面側に設けるか否かは適宜選択できる。
本発明の他の実施形態では、ＬＥＤ以外の光源が用いられてもよい。
本発明の他の実施形態では、ランプは、導光体等を収容するハウジングおよびアウターレンズを備えていてもよい。その場合、ケースに代えてハウジングおよびアウターレンズが設けられてもよいし、ハウジングの中にケースが収容されてもよい。また、ランプは、リフレクタを備えていてもよい。
【００２７】
本発明の他の実施形態では、ケースと導光体とは一体であってもよい。
本発明の他の実施形態では、ランプは、イルミネーションランプに限らず、例えば制動灯、方向指示灯および車幅灯などの他の車両用灯具であってもよい。
本発明は、上述した実施形態に限定されるものではなく、発明の趣旨を逸脱しない範囲で種々の形態で実施可能である。
【符号の説明】
【００２８】
１０・・・イルミネーションランプ（車両用灯具）
１１・・・ＬＥＤ（光源）
１４・・・導光体
１５・・・一端面
２１・・・正面
２２、３１、４１、５３・・・背面
２３、３２、５１・・・起伏面
２４、４２・・・第１平坦面
２５・・・第２平坦面
５２・・・平坦面
【図１】
2017033896.tif 000003
【図２】
2017033896.tif 000004
【図３】
2017033896.tif 000005
【図４】
2017033896.tif 000006
【図５】
2017033896.tif 000007
【図６】
2017033896.tif 000008
【図７】
2017033896.tif 000009
【図８】
2017033896.tif 000010
【図９】
2017033896.tif 000011
【図１０】
2017033896.tif 000012